(57)【要約】【課題】  測定作業に係わる全体の能率性及び効率性を高め、かつ部品コスト及び製作コストの双方を含む全体のコストダウンを図るとともに、建築物の柱等を傷付ける不具合を排除し、かつ使用範囲や用途を大幅に拡大して利便性及び汎用性を高める。【解決手段】  プレート部材Ｐの表面Ｐｆの一方側に、手Ｈで持つハンドル部２ｈを設け、かつ表面Ｐｆの他方側に、被吸着面２ｓを設けるとともに、プレート部材Ｐの裏面Ｐｒに、セッティング面Ｘに当接可能な当接面２ｐを設けてなるセッティングベース部２と、このセッティングベース部２とは別体に構成することにより、距離計Ｍを支持し、かつ支持した距離計Ｍを固定する固定部３ｃを有するとともに、被吸着面２ｓに吸着可能な吸着面３ｍを有する距離計ホルダ部３とを備える。【選択図】  図１
2019056594.tif 000002
【特許請求の範囲】
【請求項１】
距離計を保持することにより、当該距離計をセッティング面にセッティングする距離計用セッティング装置であって、プレート部材の表面の一方側に、手で持つハンドル部を設け、かつ表面の他方側に、被吸着面を設けるとともに、プレート部材の裏面に、前記セッティング面に当接可能な当接面を設けてなるセッティングベース部と、このセッティングベース部とは別体に構成することにより、前記距離計を支持し、かつ支持した距離計を固定する固定部を有するとともに、前記被吸着面に吸着可能な吸着面を有する距離計ホルダ部とを備えてなることを特徴とする距離計用セッティング装置。
【請求項２】
前記セッティングベース部は、前記プレート部材の表面における一方側と他方側間に、前記距離計ホルダ部の位置を規制する保持規制部を備えることを特徴とする請求項１記載の距離計用セッティング装置。
【請求項３】
前記セッティングベース部は、前記プレート部材の裏面に、前記セッティング面に対する滑止めを行う滑止部を設けることにより、前記当接面を構成することを特徴とする請求項１記載の距離計用セッティング装置。
【請求項４】
前記セッティングベース部は、前記プレート部材を非磁性素材により一体形成し、かつ前記プレート部材の表面に、磁性素材により形成した磁性シート（又はマグネットシート）を貼着することにより、前記被吸着面を構成することを特徴とする請求項１記載の距離計用セッティング装置。
【請求項５】
前記距離計ホルダ部は、底面部及びこの底面部の両側から起立した一対の側面部を有するチャンネル状に折曲形成し、内方に前記距離計を装着可能に構成することを特徴とする請求項１記載の距離計用セッティング装置。
【請求項６】
前記距離計ホルダ部は、非磁性素材により一体形成し、かつ前記底面部の下面に、マグネットシート（又は磁性素材により形成した磁性シート）を貼着することにより、前記吸着面を構成することを特徴とする請求項５記載の距離計用セッティング装置。
【請求項７】
前記距離計ホルダ部は、前記固定部として、前記側面部に外面側から螺合した固定ネジ及び前記側面部の内面側に露出した前記固定ネジの先端前方に配し、少なくとも一部が当該固定ネジの先端の変位に追従可能に固定した弾性保護シートを備えることを特徴とする請求項６記載の距離計用セッティング装置。
【請求項８】
前記距離計ホルダ部は、前記底面部の上面に、前記側面部に直交し、かつ一方の側面部から他方の側面部に至るとともに、前記距離計の底面に係合可能な断面山形状の角度調整支持部を一体に設けてなることを特徴とする請求項６又は７記載の距離計用セッティング装置。
【請求項９】
前記ハンドル部は、両持ち状又は片持ち状に構成することを特徴とする請求項１記載の距離計用セッティング装置。
【請求項１０】
前記ハンドル部は、他の磁性表面に吸着可能な一又は二以上の一時固定用のマグネットを有することを特徴とする請求項１又は９記載の距離計用セッティング装置。
【発明の詳細な説明】
【技術分野】
【０００１】
本発明は、距離計を保持することにより当該距離計をセッティング面にセッティングする際に用いて好適な距離計用セッティング装置に関する。
【背景技術】
【０００２】
従来、住宅等の建築物における各部位間の距離や高さを測定する測定器として、レーザー光を目標部位に向けて投射（発光）し、その目標部位から反射したレーザー光を受光して当該目標部位までの距離や高さを測定するレーザー距離計は広く知られているが、この種の距離計は、セッティングする位置や角度等が本来の位置や角度等に対してズレを生じた場合、そのズレは、そのまま測定誤差として取り込まれるため、距離計のセッティングは測定作業の重要な要素となる。
【０００３】
このため、本出願人は、既に、特許文献１により、この種の距離計をセッティングする際に用いて好適な測定機器用保持具を提案した。この保持具は、建築物内の基準点から建築物内における複数個所の測量対象点をまとめて測量することを目的としたものであり、具体的には、建築物内の基準点に取り付けるベース部、このベース部に対し、回転可能な回転部、この回転部の表面に起立し、測定機器を基準点に位置決めして載置する起立部を有し、ベース部と回転部には、回転部の回転軸部分に位置決め用貫通孔を穿設し、位置決め用貫通孔の中心点を表示したガイド体を配設し、起立部に測定機器を固定するためのスリットをガイド体の中心点位置に位置合わせした状態で形成したものである。
【先行技術文献】
【特許文献】
【０００４】
【特許文献１】特開２０１７−４０６４１号公報
【発明の概要】
【発明が解決しようとする課題】
【０００５】
しかし、上述した特許文献１に開示される測定機器用保持具は、次のような解決すべき課題も存在した。
【０００６】
第一に、測定機器用保持具をセッティング部位に固定して使用するため、セッティング位置を安定化させ、測定に係わる高い精度を確保できるメリットを有する反面、測定機器用保持具の設置作業が大変になり、迅速なセッティング、更には測定を行うことができないなど、測定に係わる全体作業の能率性及び効率性を確保する観点から無視できないマイナス要因となる。
【０００７】
第二に、測定機器用保持具に係わる全体の部品点数が多くなる傾向があるとともに、各部品の加工精度にある程度の精密性が要求されるため、部品コスト及び製作コストの双方を含む全体のコストアップを招きやすい。
【０００８】
第三に、測定機器用保持具の使用時には、固定ネジ等を用いて固定する必要があるため、建築物の柱等を傷付けてしまうとともに、更に、鉄骨やコンクリート等に対する固定は容易でない或いは困難となるため、セッティング部位が制限されるなど、利便性及び汎用性の観点から更なる改善の余地があった。
【０００９】
本発明は、このような背景技術に存在する課題を解決した距離計用セッティング装置の提供を目的とするものである。
【課題を解決するための手段】
【００１０】
本発明は、上述した課題を解決するため、距離計Ｍを保持することにより、当該距離計Ｍをセッティング面Ｘにセッティングする距離計用セッティング装置１を構成するに際して、プレート部材Ｐの表面Ｐｆの一方側に、手Ｈで持つハンドル部２ｈを設け、かつ表面Ｐｆの他方側に、被吸着面２ｓを設けるとともに、プレート部材Ｐの裏面Ｐｒに、セッティング面Ｘに当接可能な当接面２ｐを設けてなるセッティングベース部２と、このセッティングベース部２とは別体に構成することにより、距離計Ｍを支持し、かつ支持した距離計Ｍを固定する固定部３ｃを有するとともに、被吸着面２ｓに吸着可能な吸着面３ｍを有する距離計ホルダ部３とを備えてなることを特徴とする。
【００１１】
この場合、発明の好適な態様により、セッティングベース部２を構成するプレート部材Ｐの表面Ｐｆにおける一方側と他方側間には、距離計ホルダ部３の位置を規制する保持規制部１１を設けることができるとともに、プレート部材Ｐの裏面Ｐｒには、セッティング面Ｘに対する滑止めを行う滑止部１２を設けることにより、当接面２ｐを構成することができる。また、当該プレート部材Ｐは、非磁性素材により一体形成し、かつプレート部材Ｐの表面Ｐｆに、磁性素材により形成した磁性シート１３，１３ｅを貼着することにより、被吸着面２ｓを構成することができる。一方、距離計ホルダ部３は、底面部３ｄ及びこの底面部３ｄの両側から起立した一対の側面部３ｐ，３ｑを有するチャンネル状に折曲形成し、内方に距離計Ｍを装着可能に構成できるとともに、この距離計ホルダ部３は、非磁性素材により一体形成し、かつ底面部３ｄの下面３ｄｒに、マグネットシート１４を貼着することにより、吸着面３ｍを構成することができる。さらに、距離計ホルダ部３に備える固定部３ｃは、側面部３ｐに外面側から螺合した固定ネジ１５及び側面部３ｐの内面側に露出した固定ネジ１５の先端１５ｓ前方に配し、少なくとも一部が当該固定ネジ１５の先端１５ｓの変位に追従可能に固定した弾性保護シート１６を備えて構成できる。加えて、距離計ホルダ部３における底面部３ｄの上面３ｄｆには、側面部３ｐ，３ｑに直交し、かつ一方の側面部３ｐから他方の側面部３ｑに至るとともに、距離計Ｍの底面Ｍｄに係合可能な断面山形状の角度調整支持部１７を一体に設けることができる。なお、ハンドル部２ｈは、両持ち状に構成してもよいし片持ち状に構成してもよい。また、ハンドル部２ｈには、他の磁性表面に吸着可能な一又は二以上の一時固定用のマグネット２ｈｓ…を設けることができる。
【発明の効果】
【００１２】
このような構成を有する本発明に係る距離計用セッティング装置１によれば、次のような顕著な効果を奏する。
【００１３】
（１）  距離計用セッティング装置１は、距離計Ｍが装着された距離計ホルダ部３を吸着固定してなるセッティングベース部２を、セッティング面Ｘに当接させて使用（測定）するため、当該セッティング装置１をセッティング面Ｘに対してネジ等を用いて固定する設置作業が不要になる。したがって、距離計Ｍをセッティングする際の容易性及び迅速性、更には測定作業全体の能率性及び効率性を大幅に高めることができる。しかも、距離計Ｍに備える角度測定機能も有効に利用可能になり、水平精度及び垂直精度の向上に寄与できるとともに、墨出器としての代用も可能になる。
【００１４】
（２）  距離計用セッティング装置１は、基本的に、セッティングベース部２と距離計ホルダ部３により構成するため、全体の部品点数を削減できるとともに、セッティングする際の測定者の熟練性等がある程度要求されるとしても各部品に対する加工精度はさほど要求されないため、部品コスト及び製作コストの双方を含む全体のコストダウンを図ることができるなど、廉価な距離計用セッティング装置１として提供できる。
【００１５】
（３）  距離計用セッティング装置１を、ネジ等を用いてセッティング面Ｘに固定する必要がないため、建築物の柱等を傷付ける不具合を排除できる。加えて、セッティング面Ｘが鉄骨やコンクリート等のようにネジ等により容易に固定できない部位又は固定が困難な部位であっても使用可能になるため、使用範囲や用途を飛躍的に拡大できるなど、利便性及び汎用性を高めることができる。
【００１６】
（４）  好適な態様により、セッティングベース部２を構成するプレート部材Ｐの表面Ｐｆにおける一方側と他方側間に、距離計ホルダ部３の位置を規制する保持規制部１１を設ければ、距離計ホルダ部３をセッティングベース部２に吸着固定する際におけるセッティングベース部２に対する距離計ホルダ部３の位置決め（位置合わせ）に利用できるため、セッティングベース部２に対する距離計ホルダ部３の吸着固定を容易かつ迅速に行うことができる。
【００１７】
（５）  好適な態様により、セッティングベース部２を構成するに際し、プレート部材Ｐの裏面Ｐｒにセッティング面Ｘに対する滑止めを行う滑止部１２を設けることにより、当接面２ｐを構成すれば、測定時に、当接面２ｐをセッティング面Ｘに当接させた際の無用な変位を防止できるため、安定かつ正確な測定作業を行うことができるとともに、当接時の押圧力が僅かであっても位置を安定に固定できるため、作業性の向上、特に、距離計Ｍに対する操作性の向上に寄与できる。
【００１８】
（６）  好適な態様により、セッティングベース部２を構成するプレート部材Ｐを、非磁性素材により一体形成し、かつプレート部材Ｐの表面Ｐｆに、磁性素材により形成した磁性シート１３，１３ｅを貼着することにより、被吸着面２ｓを構成すれば、プレート部材Ｐの全体の形成素材として非磁性素材であるプラスチック素材やアルミニウム素材等の軽量素材及び低コスト素材を利用できるため、セッティングベース部２の更なる軽量化及び低コスト（低廉化）に寄与できる。
【００１９】
（７）  好適な態様により、距離計ホルダ部３を、底面部３ｄ及びこの底面部３ｄの両側から起立した一対の側面部３ｐ，３ｑを有するチャンネル状に折曲形成し、内方に距離計Ｍを装着可能に構成すれば、距離計ホルダ部３に距離計Ｍを装着する際には、距離計Ｍを上から載置すれば足りるため、距離計ホルダ部３に対する距離計Ｍの装着を容易かつ迅速に行うことができる。
【００２０】
（８）  好適な態様により、距離計ホルダ部３を構成するに際し、非磁性素材により一体形成し、かつ底面部３ｄの下面３ｄｒに、マグネットシート１４を貼着することにより、吸着面３ｍを構成すれば、距離計ホルダ部３全体の形成素材として非磁性素材であるプラスチック素材やアルミニウム素材等の軽量素材及び低コスト素材を利用できるため、距離計ホルダ部３、更にはセッティングベース部２と併せた距離計用セッティング装置１全体における更なる軽量化及び低コスト（低廉化）を実現できる。
【００２１】
（９）  好適な態様により、距離計ホルダ部３に備える固定部３ｃを構成するに際し、側面部３ｐに外面側から螺合した固定ネジ１５及び側面部３ｐの内面側に露出した固定ネジ１５の先端１５ｓ前方に配し、少なくとも一部が当該固定ネジ１５の先端１５ｓの変位に追従可能に固定した弾性保護シート１６を備えて構成すれば、距離計Ｍの固定又は固定解除は、固定ネジ１５の回し操作のみで行うことができるため、距離計ホルダ部３に対する距離計Ｍの装着又は装着解除作業を容易に行うことができる。また、固定ネジ１５の先端１５ｓと距離計Ｍ間には弾性保護シート１６を介在させたため、固定ネジ１５の先端１５ｓによる加圧固定時における距離計Ｍへの傷付けを防止することができ、距離計Ｍに対する保護を図ることができるとともに、何らかの要因により固定ネジ１５が緩む方向に動いた場合であっても距離計Ｍに対する保持固定が解除させる不具合を回避できるため、距離計Ｍを確実に固定することができる。
【００２２】
（１０）  好適な態様により、距離計ホルダ部３における底面部３ｄの上面３ｄｆに、側面部３ｐ，３ｑに直交し、かつ一方の側面部３ｐから他方の側面部３ｑに至るとともに、距離計Ｍの底面Ｍｄに係合可能な断面山形状の角度調整支持部１７を一体に設ければ、角度調整支持部１７によりにより距離計Ｍの底面部３ｄをシーソー状に支持できるため、距離計Ｍの角度調整を容易に行うことができるとともに、角度調整支持部１７の位置を選定することにより、距離計Ｍを操作する際の悪影響を極力排除することができる。
【００２３】
（１１）  好適な態様により、ハンドル部２ｈは、両持ち状に構成してもよいし片持ち状に構成してもよいなど、各種形態を選択して実施できる。特に、プレート材を用いて片持ち状に形成すれば、使用者のベルトやこのベルトに装着した収納ケース、更には各種袋やケース等に差し込むことができるため、容易に携帯又は保管することができる。
【００２４】
（１２）  好適な態様により、ハンドル部２ｈに、他の磁性表面に吸着可能な一又は二以上の一時固定用のマグネット２ｈｓ…を設ければ、他の磁性表面に吸着保持させることができるため、建築現場における足場等に容易に一時固定することができる。
【図面の簡単な説明】
【００２５】
【図１】本発明の好適実施形態に係る距離計用セッティング装置の斜視図、
【図２】同セッティング装置の平面図、
【図３】同セッティング装置の側面図、
【図４】同セッティング装置の図３中Ａ−Ａ線位置の断面図、
【図５】同セッティング装置に備えるセッティングベース部に対して距離計ホルダ部を分離し、かつ距離計ホルダ部に対して距離計を分離した状態を示す側面図、
【図６】同セッティング装置に距離計を保持固定した状態における図２中Ｂ−Ｂ線位置の断面図、
【図７】同セッティング装置に備えるセッティングベース部と距離計ホルダ部の組合わせ態様図、
【図８】同セッティング装置の使用説明図、
【図９】同セッティング装置の他の使用説明図、
【図１０】同セッティング装置に備える固定部及び角度調整支持部の機能を説明するための一部断面正面図、
【図１１】同セッティング装置を用いる距離計及びタブレット端末を含む距離測定システムの構成概要図、
【図１２】同セッティング装置を構成するセッティングベース部の変更例に係る側面図、
【図１３】同セッティング装置を構成するセッティングベース部の変更例に係る平面図、
【発明を実施するための形態】
【００２６】
次に、本発明に係る好適実施形態を挙げ、図面に基づき詳細に説明する。
【００２７】
まず、本実施形態に係る距離計用セッティング装置１の構成について、図１〜図７を参照して説明する。
【００２８】
このセッティング装置１は、図１に示すように、大別して、セッティングベース部２と距離計ホルダ部３を備え、図５に示すように、セッティングベース部２と距離計ホルダ部３はそれぞれ別体に構成する。
【００２９】
セッティングベース部２は、全体を、一定の厚さ（例示は、３〔ｍｍ〕）を有する非磁性素材（例示は、アルミニウム素材）により形成したプレート部材Ｐを備え、図２に示すように、全体を長方形に形成する。例示の場合、短辺対長辺の寸法比率は、概ね１対３である。そして、プレート部材Ｐの表面（上面）Ｐｆであって、長手方向一方側における概ね２／３の面積領域は、ハンドル部２ｈの取付面２ｈｆに用いるとともに、長手方向他方側における概ね１／３の面積領域は、被吸着面２ｓに用いる。なお、セッティングベース部２を形成する非磁性素材として、アルミニウム素材を例示したが、プラスチック素材やセラミックス素材等の各種非磁性素材を適用できる。
【００３０】
また、取付面２ｈｆと被吸着面２ｓ間の境界には、所定の高さを有する衝立状の保持規制部１１を設ける。保持規制部１１は、プレート部材Ｐと同じプレート部材をカッティングして形成し、溶接等により固定することができる。この保持規制部１１は、後述する距離計ホルダ部３の位置を規制する機能を備える。したがって、このような保持規制部１１を設ければ、距離計ホルダ部３をセッティングベース部２に吸着固定する際におけるセッティングベース部２に対する距離計ホルダ部３の位置決め（位置合わせ）に利用できるため、セッティングベース部２に対する距離計ホルダ部３の吸着固定を容易かつ迅速に行うことができる利点がある。
【００３１】
そして、取付面２ｈｆには、ハンドル部２ｈを取付ける。例示のハンドル部２ｈは、図１〜図３に示すように、円柱形に形成した一対の支柱部２１，２２と、丸棒状に形成したハンドル本体部２３を備え、支柱部２１，２２の周面上部に形成した円凹部にハンドル本体部２３の両端をそれぞれ差込み、支柱部２１，２２の下端面を取付面２ｈｆの長手方向における離間位置に固定することにより構成できる。この場合、支柱部２１，２２を固定するに際しては、プレート部材Ｐの下面側から固定ネジを貫通させ、支柱部２１，２２の下端面に螺着すれば、支柱部２１，２２を取付面２ｈｆ上に固定することができる。
【００３２】
一方、被吸着面２ｓは、図５に示すように、磁性素材により形成した磁性シート１３を貼着して構成する。例示の磁性シート１３は、被吸着面２ｓを構成するエリアと同じ大きさに形成した厚さが０．２〔ｍｍ〕のステンレス素材を用いた薄いプレート材であり、プレート部材Ｐの上面Ｐｆに接着剤により貼着する。このように、被吸着面２ｓを構成するに際し、磁性シート１３を用いれば、プレート部材Ｐの全体の形成素材として非磁性素材であるプラスチック素材やアルミニウム素材等の軽量素材及び低コスト素材を利用できるため、セッティングベース部２の更なる軽量化及び低コスト（低廉化）に寄与できる利点がある。
【００３３】
さらに、プレート部材Ｐの裏面Ｐｒには、セッティング面Ｘに当接させる当接面２ｐを設ける。具体的には、図３に示すように、ゴム素材或いは発泡樹脂素材等の高摩擦シートを用いた滑止部１２をプレート部材Ｐの裏面Ｐｒのほぼ全面に貼付けることにより当接面２ｐを構成することができる。なお、滑止部１２に用いる高摩擦シートとしては、平坦なシート部材、下面に細かな凹凸を有するシート部材、多数の孔を有するネット状のシート部材など、各種態様のシート部材を利用可能である。このように、滑止部１２を設けることにより当接面２ｐを構成すれば、測定時に、当接面２ｐをセッティング面Ｘに当接させた際の無用な変位を防止できるため、安定かつ正確な測定作業を行うことができるとともに、当接時の押圧力が僅かであっても位置を安定に固定できるため、作業性の向上、特に、距離計Ｍに対する操作性の向上に寄与できる。
【００３４】
他方、距離計ホルダ部３は、レーザー距離計（以下、距離計と略記）Ｍを支持し、かつ支持した距離計Ｍを固定する固定部３ｃを有するとともに、被吸着面２ｓに吸着可能な吸着面３ｍを設ける。
【００３５】
例示の距離計ホルダ部３は、全体を、一定の厚さ（例示は、３〔ｍｍ〕）を有する非磁性素材（例示は、アルミニウム素材）により形成したプレート材を、図３に示すように、チャンネル状に折曲形成して構成する。これにより、底面部３ｄ及びこの底面部３ｄの両側から起立した一対の側面部３ｐ，３ｑが形成され、内方に距離計Ｍを装着することができる。なお、距離計ホルダ部３の形成素材も、セッティングベース部２の形成素材と同様に、プラスチック素材やセラミックス素材等の各種非磁性素材を適用できる。このように構成すれば、距離計ホルダ部３に対する距離計Ｍの装着時において、距離計Ｍを上から載置すれば足りるため、距離計Ｍの装着を容易かつ迅速に行うことができる。この場合、距離計ホルダ部３は、底面部３ｄと一対の側面部３ｐ，３ｑを有すれば足り、底面部３ｄの幅や側面部３ｐ，３ｑの高さ等の各部の寸法や形状は、装着する距離計Ｍの外観ディメンション等に応じて任意に選定できる。
【００３６】
また、底面部３ｄの下面３ｄｒには、底面部３ｄとほぼ同じ大きさとなる矩形に形成し、かつ一定の厚さ（例示は、４〔ｍｍ〕）を有するマグネットシート１４を貼着して吸着面３ｍを構成する。このように構成すれば、距離計ホルダ部３全体の形成素材として非磁性素材であるプラスチック素材やアルミニウム素材等の軽量素材及び低コスト素材を利用できるため、距離計ホルダ部３、更にはセッティングベース部２と併せた距離計用セッティング装置１全体における更なる軽量化及び低コスト（低廉化）を実現できる。
【００３７】
一方、固定部３ｃは、側面部３ｐに外面側から螺合した固定ネジ１５及び側面部３ｐの内面側に露出した固定ネジ１５の先端１５ｓ前方に配し、少なくとも一部が当該固定ネジ１５の先端１５ｓの変位に追従可能に固定したゴム素材により形成した弾性保護シート１６により構成する。この場合、固定ネジ１５は、図５に示すように、測定者が手で操作することができる頭部１５ｈを有し、ネジ部１５ｒを側面部３ｐの中間位置に貫通形成したネジ孔部２５に螺合する。さらに、図４に示すように、所定の厚さを有する弾性保護シート１６を用意し、この弾性保護シート１６の一部を接着剤等を用いた接着部２６を介して側面部３ｐの内面に固定する。これにより、弾性保護シート１６は、側面部３ｐの内面に片持状に支持され、自在面が固定ネジ１５の先端１５ｓに当接するとともに、この先端１５ｓが当接する面に対して反対側の面が、距離計ホルダ部３に装着した距離計Ｍの側面に圧接する圧接面１６ｐとなる。したがって、この圧接面１６ｐの表面は滑止機能を有する凹凸面等により形成することが望ましい。
【００３８】
このように構成する固定部３ｃを設ければ、距離計Ｍの固定又は固定解除は、固定ネジ１５の回し操作のみで行うことができるため、距離計ホルダ部３に対する距離計Ｍの装着又は装着解除作業を容易に行うことができる。また、固定ネジ１５の先端１５ｓと距離計Ｍ間には弾性保護シート１６を介在させたため、固定ネジ１５の先端１５ｓによる加圧固定時における距離計Ｍへの傷付けを防止することができ、距離計Ｍに対する保護を図ることができるとともに、何らかの要因により固定ネジ１５が緩む方向に動いた場合であっても距離計Ｍに対する保持固定が解除させる不具合を回避できるため、距離計Ｍを確実に固定できる利点がある。
【００３９】
さらに、距離計ホルダ部３における底面部３ｄの上面３ｄｆには、図１〜図４に示すように、側面部３ｐ，３ｑに直交し、かつ一方の側面部３ｐから他方の側面部３ｑに至るとともに、距離計Ｍの底面Ｍｄに係合可能な断面山形状の角度調整支持部１７を一体に設ける。例示の場合、角度調整支持部１７を、プラスチック素材により一体形成し、接着剤により底面部３ｄの上面３ｄｆに固定して設けた。角度調整支持部１７を設ける位置は、装着する距離計Ｍの形態により任意に選択可能であり、必ずしも、長手方向の中央位置が望ましいものではない。即ち、図７に示すように、角度調整支持部１７の位置は、距離計Ｍを装着した状態において、測定開始キーＭｋ等の測定時の操作キーのほぼ真下となるように選定することができる。
【００４０】
したがって、このような角度調整支持部１７を設ければ、角度調整支持部１７によりにより距離計Ｍの底面部３ｄをシーソー状に支持できるため、距離計Ｍの角度調整を容易に行うことができるとともに、角度調整支持部１７の位置を選定することにより、距離計Ｍを操作する際の悪影響を極力排除できる利点がある。
【００４１】
次に、本実施形態に係る距離計用セッティング装置１の使用方法及び各部の機能（作用）について、図１〜図１１を参照して説明する。
【００４２】
使用（測定）に際しては、まず、セッティング装置１と距離計Ｍを用意し、セッティング装置１に対して距離計Ｍの装着を行う。なお、距離計Ｍの装着時において、距離計ホルダ部３は、セッティングベース部２に装着した状態であってもよいし、離脱した状態であってもよい。また、距離計ホルダ部３に備える固定ネジ１５は緩めた状態にしておく。
【００４３】
そして、距離計Ｍは、図５中、例えば、矢印Ｆｍの方向において、距離計ホルダ部３の内方に装着する。即ち、距離計Ｍを、側面部３ｐと３ｑ間に位置させ、距離計Ｍの底面Ｍｄを、距離計ホルダ部３の底面部３ｄ上に載置する。これにより、距離計Ｍの底面Ｍｄは、角度調整支持部１７上に当接して支持される。
【００４４】
次いで、この状態において、固定ネジ１５を手で回し、距離計Ｍを距離計ホルダ部３に固定する。即ち、固定ネジ１５を締付方向に手で回し操作する。これにより、固定ネジ１５の先端１５ｓは、側面部３ｐの内方へ変位するため、当該先端１５ｓに押されて弾性保護シート１６も変位する。この結果、固定ネジ１５の回し操作を進めるに従って、弾性保護シート１６の圧接面１６ｐを距離計Ｍの側面に圧接させることができる。この状態を図６に示す。なお、距離計Ｍを距離計ホルダ部３から離脱させる際は、固定ネジ１５を逆方向へ回し操作すればよい。このように、距離計Ｍの固定又は固定解除は、固定ネジ１５の回し操作のみで容易に行うことができる。
【００４５】
そして、距離計ホルダ部３は、底面部３ｄの下面３ｄｒに固定したマグネットシート１４（吸着面３ｍ）を、図５中、例えば、矢印Ｆｓの方向において、セッティングベース部２の被吸着面２ｓ（磁性シート１３）の上面に載置する。これにより、距離計ホルダ部３は、セッティングベース部２の被吸着面２ｓ上に吸着固定される。
【００４６】
この場合、セッティングベース部２の被吸着面２ｓに距離計ホルダ部３を吸着固定する際の位置及び角度の組合わせ態様は、セッティング位置Ｘの場所や状態などに応じて各種態様を選択できる。図７（ａ），（ｂ），（ｃ）は、一例として、三つの組合わせ態様を示している。図７（ａ）は、例えば、高さ方向の寸法を測定する場合の標準的な組合わせ態様を示す。即ち、セッティングベース部２の保持規制部１１に、距離計ホルダ部３における固定ネジ１５を設けない側面部３ｑを当接させた態様である。この態様の場合には、図８に示すように、左の手Ｈでハンドル部２ｈを持ち、右の手で固定ネジ１５を回し操作したり、距離計Ｍに対する必要なキー操作などを行うことができる。
【００４７】
一方、図７（ｂ）は、図７（ａ）に対して距離計ホルダ部３の左右位置を反対にした態様である。即ち、セッティングベース部２の保持規制部１１に、距離計ホルダ部３における固定ネジ１５を設けた側面部３ｐを当接させた態様である。また、図７（ｃ）は、図７（ａ）に対して距離計ホルダ部３を９０〔°〕回動変位させた態様である。即ち、セッティングベース部２の保持規制部１１に、距離計ホルダ部３における双方の側面部３ｐと３ｑの端部を当接させた態様である。なお、これらはセッティングベース部２の長手方向に対して、距離計Ｍの長手方向が直角となる位置関係又は平行となる位置関係に組合わせた場合を示したが、その他、距離計ホルダ部３に対して、距離計Ｍの前後方向を反転させて保持する態様、或いはセッティングベース部２の長手方向に対して、距離計Ｍの長手方向を任意の角度で傾斜した状態に組合わせる態様など、セッティング位置Ｘの場所や状態などに応じた各種組合わせ態様を選択することができる。
【００４８】
次に、具体的な測定方法について説明する。図８及び図９は、一例として、高さ方向の距離を図る場合を示しており、図８は目標板５１を用いて測定する場合、図９は目標物に直接投射して測定する場合を示している。なお、セッティング装置１には、図７（ａ）の態様により距離計Ｍが保持されている。
【００４９】
目標板５１を用いる場合には、図８に示すように、所定の目標位置に目標板５１を設置する。例示の目標板５１は、設置盤５２とこの設置盤５２から直角方向に起立した目標板本体５３を備えるため、設置盤５２を、例えば、建築物における壁の上端等の目標位置に設置する。この際、目標板本体５３の反射面５３ｒが距離計Ｍに対向するように、その向きを設定するとともに、反射面５３ｒの位置を目標位置に一致させる。
【００５０】
一方、測定者は、図８に仮想線で示すように、左の手Ｈでセッティング装置１のハンドル部２ｈを持ち、目的のセッティング位置Ｘに当接させる。即ち、図９に示すように、建築物における柱の表面等の所定のセッティング位置Ｘに、セッティング装置１における当接面２ｐを面接触により当接させる。この際、セッティング装置１に保持される距離計Ｍの基準位置をセッティング位置Ｘに一致させる。
【００５１】
また、距離計Ｍからレーザー光Ｃｍを予備的に発光させて、レーザー光Ｃｍが反射面５３ｒにおける横方向の基準位置に投射されるように、セッティング装置１の当接位置を設定するとともに、レーザー光Ｃｍが反射面５３ｒにおける縦方向の基準位置に投射されるように、距離計Ｍの角度調整を行う。即ち、距離計Ｍは、図１０に示すように、距離計ホルダ部３における角度調整支持部１７により支持されているため、作業者は、右の手で固定ネジ１５を緩める方向にやや回し操作すれば、距離計Ｍを角度調整支持部１７を支点としてシーソー状に回動変位させ、距離計Ｍの角度を調整することができる。したがって、距離計Ｍの角度調整を行うとともに、調整が終了したなら、再度、固定ネジ１５を締付方向に回し操作し、距離計Ｍの位置（角度）を固定すればよい。
【００５２】
なお、図１０において、仮想線で示す距離計Ｍｘは、実線で示す距離計Ｍに対して角度を調整した場合の位置状態を示すとともに、仮想線で示す距離計Ｍｙは、実線で示す距離計Ｍに対して前後方向の位置を調整した場合の位置状態を示している。
【００５３】
そして、以上のセッティング処理が終了したなら、図８に示すように、測定開始キーＭｋを押す。この場合、測定開始キーＭｋは、角度調整支持部１７のほぼ真上に位置しているため、ハンドル部２ｈを持った手Ｈの指（例示は、親指）Ｈｐにより測定開始キーＭｋを押し操作した場合であっても、操作によるトルクが付加されることにより距離計Ｍの保持角度がズレてしまう不具合は回避される。
【００５４】
一方、測定開始キーＭｋの操作により、距離計Ｍのレーザー光入出部Ｍｃ（図５）からレーザー光Ｃｍが発光され、反射面５３ｒに投射されるとともに、投射されたレーザー光Ｃｍは、反射面５３ｒで反射するため、反射したレーザー光Ｃｍはレーザー光入出部Ｍｃにより受光される。これにより、公知の測定法により反射面５３ｒまでの距離を測定することができる。なお、図９の場合には、発光されたレーザー光Ｃｍは直接天井Ｘｃに投射され、反射するため、この反射したレーザー光Ｃｍを受光することができる。
【００５５】
また、図１１に示すように、測定した距離データは、距離計Ｍに備えるディスプレイＭｄに表示されるとともに、内蔵する無線通信部Ｍｔにより、タブレット端末（コンピュータ端末）Ｄに内蔵する無線通信部Ｄｔに送信され、必要なデータ処理が行われる。なお、Ｄｄはタブレット端末Ｄのディスプレイを示す。この距離計Ｍとタブレット端末Ｄにより距離測定システムＳが構成される。
【００５６】
よって、このような本実施形態に係る距離計用セッティング装置１によれば、プレート部材Ｐの表面Ｐｆの一方側に、手Ｈで持つハンドル部２ｈを設け、かつ表面Ｐｆの他方側に、被吸着面２ｓを設けるとともに、プレート部材Ｐの裏面Ｐｒに、セッティング面Ｘに当接可能な当接面２ｐを設けてなるセッティングベース部２と、このセッティングベース部２とは別体に構成することにより、距離計Ｍを支持し、かつ支持した距離計Ｍを固定する固定部３ｃを有するとともに、被吸着面２ｓに吸着可能な吸着面３ｍを有する距離計ホルダ部３とを備えてなるため、セッティング装置１は、距離計ホルダ部３を吸着固定したセッティングベース部２の当接面２ｐを、セッティング面Ｘに当接させて使用（測定）できる。したがって、セッティング装置１をセッティング面Ｘに対してネジ等を用いて固定する設置作業が不要になり、距離計Ｍをセッティングする際の容易性及び迅速性、更には測定作業全体の能率性及び効率性を大幅に高めることができる。しかも、距離計Ｍに備える角度測定機能も有効に利用可能になり、水平精度及び垂直精度の向上に寄与できるとともに、墨出器としての代用も可能になる。
【００５７】
また、距離計用セッティング装置１は、基本的に、セッティングベース部２と距離計ホルダ部３により構成するため、全体の部品点数を削減できるとともに、セッティングする際の測定者の熟練性等がある程度要求されるとしても各部品に対する加工精度はさほど要求されないため、部品コスト及び製作コストの双方を含む全体のコストダウンを図ることができるなど、廉価な距離計用セッティング装置１として提供できる。しかも、距離計用セッティング装置１を、ネジ等を用いてセッティング面Ｘに固定する必要がないため、建築物の柱等を傷付ける不具合を排除できる。加えて、セッティング面Ｘが鉄骨やコンクリート等のようにネジ等により容易に固定できない部位又は固定が困難な部位であっても使用可能になるため、使用範囲や用途を飛躍的に拡大できるなど、利便性及び汎用性を高めることができる。
【００５８】
次に、本実施形態に係る距離計用セッティング装置１に備えるセッティングベース部２の変更例について、図１２及び図１３を参照して説明する。
【００５９】
変更例に係るセッティングベース部２は、プレート部材Ｐ及び保持規制部１１を形成するに際し、硬質のプラスチック素材により形成するとともに、特に、磁性シート１３とハンドル部２ｈの形態を変更したものである。変更例に係る磁性シート１３は、より厚みを有する円盤状の磁性シート１３ｅとしてステンレス素材により形成したものであり、剛性を高めることにより、距離計ホルダ部３を着脱する際における安定性及び非剥離性をより高めることができる。
【００６０】
また、変更例に係るハンドル部２ｈは、片持ち状に構成したものである。具体的には、ステンレス素材によるプレート材を折曲形成することにより、ハンドル本体部３１を形成し、このハンドル本体部３１の一端側を固定ネジ３２，３２によりプレート部材Ｐの表面に固定することにより構成できる。このように、ハンドル部２ｈを構成するに際し、プレート材を用いて片持ち状に構成すれば、使用者のベルトやこのベルトに装着した収納ケース、更には各種袋やケース等に差し込むことができるため、容易に携帯及び保管できる利点がある。なお、図１に示したハンドル部２ｈは、いわば両持ち状に構成したものである。このように、ハンドル部２ｈは、両持ち状に構成してもよいし片持ち状に構成してもよいなど、各種形態を選択して実施可能である。
【００６１】
さらに、ハンドル部２ｈ（ハンドル本体部３１）には、他の磁性表面に吸着可能な二つ（一般的には、一又は二以上）の一時固定用のマグネット２ｈｓ…を設けた。このような一時固定用のマグネット２ｈｓ…を設ければ、他の磁性表面に保持させることができるため、建築現場における足場等に容易に一時固定できる利点がある。なお、変更例に係るプレート部材Ｐ及び保持規制部１１は、硬質のプラスチック素材により形成したが、この場合、プラスチック素材の着色は任意である。例示の場合、透明のプラスチック素材を使用するとともに、部分的に着色することによりデザイン性を考慮した。また、変更例では、滑止部１２を設けるに際し、分割した二枚の滑止部１２…を用いた例を示す。
【００６２】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００６３】
例えば、手Ｈで持つハンドル部２ｈの形態は任意であり、要は、測定者が手Ｈで持つことができる機能を有するものであれば、その形状や構成は問わない。また、セッティングベース部２と距離計ホルダ部３は別体に構成することが要件となり、分離状態にあるか否かは問わない。したがって、セッティングベース部２と距離計ホルダ部３は、一方の紛失を防止するため、紐材等により連結した状態にあってもよい。さらに、セッティングベース部２は、平坦なプレート部材Ｐが望ましいが、平坦に限定されるものではなく、必要により段差等が設けられていてもよい。また、プレート部材Ｐは、非磁性素材により一体形成し、かつプレート部材Ｐの表面Ｐｆに、磁性素材により形成した磁性シート１３を貼着して被吸着面２ｓを構成した場合を示したが、プレート部材Ｐの全体をステンレス素材等の磁性素材により形成する場合を排除するものではない。一方、セッティングベース部２に磁性シート１３（被吸着面２ｓ）を設け、距離計ホルダ部３にマグネットシート１４（吸着面３ｍ）を設けた場合を例示したが、セッティングベース部２にマグネットシート１４（吸着面３ｍ）を設け、距離計ホルダ部３に磁性シート１３（被吸着面２ｓ）を設けてもよい。また、固定部３ｃの構成は一例であり、例えば、固定ネジ１５の先端１５ｓに回動式のゴムブロックを設けるなど、同様の機能を有する各種形態を採用することができる。なお、距離計Ｍとして、レーザー距離計を例示したが、超音波を用いる超音波方式の距離計など、他の原理に基づく距離計であっても同様に適用することができる。
【産業上の利用可能性】
【００６４】
本発明に係る距離計用セッティング装置は、建築分野や土木分野等の比較的長い距離を測定する各種距離計を所定のセッティング面にセッティングする際に利用できる。
【符号の説明】
【００６５】
１：距離計用セッティング装置，２：セッティングベース部，２ｈ：ハンドル部，２ｓ：被吸着面，２ｐ：当接面，３：距離計ホルダ部，３ｄ：底面部，３ｄｒ：底面部の下面，３ｄｆ：底面部の上面，３ｐ：側面部，３ｑ：側面部，３ｃ：固定部，３ｍ：吸着面，１１：保持規制部，１２：滑止部，１３：磁性シート，１４：マグネットシート，１５：固定ネジ，１５ｓ：固定ネジの先端，１６：弾性保護シート，１７：角度調整支持部，Ｍ：距離計，Ｍｄ：距離計の底面，Ｐ：プレート部材，Ｐｆ：プレート部材の表面，Ｐｒ：プレート部材の裏面，Ｘ：セッティング面，Ｈ：手
【図１】
2019056594.tif 000003
【図２】
2019056594.tif 000004
【図３】
2019056594.tif 000005
【図４】
2019056594.tif 000006
【図５】
2019056594.tif 000007
【図６】
2019056594.tif 000008
【図７】
2019056594.tif 000009
【図８】
2019056594.tif 000010
【図９】
2019056594.tif 000011
【図１０】
2019056594.tif 000012
【図１１】
2019056594.tif 000013
【図１２】
2019056594.tif 000014
【図１３】
2019056594.tif 000015